(57)【特許請求の範囲】
【請求項１】
異なる容量のデータパケットを効率的に利用するための方法であって、
前記データパケットは、フレーム指向で伝送する通信システムにおいて１つの中央局（ＺＥ）と複数の加入者（Ｔ）との間で伝送されるものであり、この場合中央局（ＺＥ）と複数の加入者（Ｔ）との間で有効データパケット（ＬＤ）と制御データパケット（ＫＤ）が交換され、有効データパケット（ＬＤ）は制御データパケット（ＫＤ）の数倍のデータ容量を有している形式のものにおいて、
中央局（ＺＥ）と加入者（Ｔ）の間の宣言によって、伝送フレーム内で有効データパケット（ＬＤ）用のコンテナを、そのつど複数の制御データパケット（ＫＤ）で充たすステップと、
前記宣言によって、有効データパケット（ＬＤ）用のどのコンテナをそれぞれ制御データパケット（ＫＤ）で充たすかを確定するステップと、
有効データパケット（ＬＤ）用コンテナに収納される各制御データパケット（ＫＤ）を、１つのサブフレームに統合し、該サブフレームの外側フォーマットを、有効データパケット（ＬＤ）のフォーマットに適合化するステップとを有するようにしたことを特徴とする方法。
【請求項２】
制御データパケット（ＫＤ）を有効データパケット（ＬＤ）用コンテナに充填する宣言が、先に伝送された制御データパケット（ＫＤ）内の通知により行われる、請求項１記載の方法。
【請求項３】
制御データパケット（ＫＤ）を有効データパケット（ＬＤ）用コンテナに充填する宣言が、制御データパケット（ＫＤ）の目下の関連して伝送されたブロックのヘッド領域（ＫＦ）内の通知により行われる、請求項１記載の方法。
【請求項４】
制御データパケット（ＫＤ）を有効データパケット（ＬＤ）用コンテナに充填する宣言が、加入者（Ｔ）から中央局（ＺＥ）への要求信号の伝送によって行われる、請求項１記載の方法。
【請求項５】
加入者（Ｔ）による制御データパケット（ＫＤ）の所定数の要求から、それに代わって、有効データパケット（ＬＤ）用コンテナを、中央局（ＺＥ）からの制御データパケット（ＫＤ）の伝送に割当てることによって、制御データパケット（ＫＤ）を有効データパケット（ＬＤ）用コンテナに充填する宣言が行われる、請求項１記載の方法。
【請求項６】
制御データパケット（ＫＤ）で充填される有効データパケット（ＬＤ）用の後続するコンテナの形式および/または内容に関する情報の伝送に、制御データパケット（ＫＤ）もしくはその一部を用いる、請求項１から５いずれか１項記載の方法。
【請求項７】
有効データパケット（ＬＤ）用の所定の後続するコンテナ内での制御データパケット（ＫＤ）用に占有されている領域の数に関する情報を含んでいる情報要素（ＩＥ）を、制御データパケット（ＫＤ）に収納する、請求項６記載の方法。
【請求項８】
制御データパケット（ＫＤ）で充填される有効データパケット（ＬＤ）用のコンテナの位置に関する情報を、有効データパケット（ＬＤ）のブロック内で表示するのに対して、制御データパケット（ＫＤ）もしくはその一部が用いられる、請求項１から７いずれか１項記載の方法。
【請求項９】
制御データパケット（ＫＤ）で充填される有効データパケット（ＬＤ）用の全てのコンテナを、有効データパケット（ＬＤ）のブロック内の所定の位置、例えば有効データパケット（ＬＤ）の関連するブロックの開始位置に配置する、請求項１から７いずれか１項記載の方法。
【請求項１０】
制御データパケット（ＫＤ）で充填される有効データパケット（ＬＤ）用の各コンテナ毎に、情報要素（ＩＤ）を、先行の制御データパケット（ＫＤ）に収納する、請求項１から８いずれか１項記載の方法。
【請求項１１】
中央局（ＺＥ）と多数の加入者（Ｔ）との間で、異なる容量のデータパケットをフレーム指向で伝送する通信システム用の中央局（ＺＥ）であって、
前記中央局（ＺＥ）は、通信リソースをデータパケットの形態で加入者（Ｔ）に割当て、加入者（Ｔ）は中央局（ＺＥ）からの通信リソースを要求する形式のものにおいて、
前記中央局（ＺＥ）は、
伝送フレームを設定するフレームジェネレータ（ＲＺＧ）と、
マルチプレックサ（ＭＺＸ）と、
選択ユニット（ＡＺＳ）と、
デマルチプレクサ（ＤＺＸ）を含んでおり、
前記マルチプレクサ（ＭＺＸ）は、制御データパケット（ＫＤ）と、該制御データパケット（ＫＤ）のデータ容量の数倍のデータ容量を有する有効データパケット（Ｄ）を所定の伝送フレーム内に挿入するのに適したものであり、この場合有効データパケット（ＬＤ）用コンテナに収納される各制御データパケット（ＫＤ）は、１つのサブフレームに統合され、該サブフレームの外側フォーマットは、有効データパケット（ＬＤ）のフォーマットに適合化されており、
前記選択ユニット（ＡＺＳ）は、中央局（ＺＥ）と加入者（Ｔ）との間の宣言に基づいて、伝送フレーム内で有効データパケット（ＬＤ）用コンテナを、多数の制御データパケット（ＫＤ）で充填するか否かを確定しており、
前記デマルチプレクサ（ＤＺＸ）は、加入者（Ｔ）から伝送フレーム内で伝送された制御データパケット（ＫＤ）と有効データパケット（ＬＤ）を分離させて選択ユニット（ＡＺＳ）に供給するのに適するように構成されていることを特徴とする中央局。
【請求項１２】
中央局（ＺＥ）と多数の加入者（Ｔ）との間で異なる容量のデータパケットをフレーム指向で伝送する通信システム用の加入者装置であって、
前記中央局（ＺＥ）は、通信リソースをデータパケットの形態で加入者（Ｔ）に割当て、加入者（Ｔ）は通信リソースを要求する形式のものにおいて、
前記加入者装置は、
デマルチプレクサ（ＤＴＸ）と、
マルチプレックサ（ＭＴＸ）と、
選択ユニット（ＡＴＳ）を含んでおり、
前記デマルチプレクサ（ＤＴＸ）は、中央局（ＺＥ）から伝送された伝送フレームから、制御データパケット（ＫＤ）と有効データパケット（ＬＤ）を分離して評価装置（ＡＴＥ）に供給するのに適しており、
前記マルチプレクサ（ＭＴＸ）は、加入者側で制御データパケット（ＫＤ）と、該制御データパケット（ＫＤ）のデータ容量の数倍のデータ容量を有する有効データパケット（Ｄ）を、中央局（ＺＥ）によって設定された伝送フレーム内に挿入するのに適したものであり、この場合有効データパケット（ＬＤ）用コンテナに収納される各制御データパケット（ＫＤ）は、１つのサブフレームに統合され、該サブフレームの外側フォーマットは、有効データパケット（ＬＤ）のフォーマットに適合化されており
前記選択ユニット（ＡＴＳ）は、中央局（ＺＥ）と加入者（Ｔ）の間の宣言に基づいて、伝送フレーム内で有効データパケット（ＬＤ）用コンテナを、多数の制御データパケット（ＫＤ）で充填するか否かを確定するように構成されていることを特徴とする加入者装置。
【発明の詳細な説明】
【０００１】
本発明は、中央局と多数の加入者の間の通信システムにおいて伝送される異なる容量のデータパケットの有効利用のための方法に関している。その他に本発明は、中央局と多数の加入者との間で異なる容量のデータパケットをフレーム指向で伝送する通信システム用の中央局並びに相応の加入者装置に関する。
【０００２】
中央制御された通信ネットワーク、例えば中央制御された“ETSI-Projekt HIPERLAN Type2 ”方式によるセルラ無線ネットワークでは、１つの中央局ＺＥが設けられ、これが複数の加入者ないしはそれらの端末に接続可能である（図１参照）。この無線ネットワークは、コネクション指向で動作する。すなわち当該のネットワークもしくは中央局ＺＥに接続されている他の加入者ないしはその端末とデータ交換を行うためには、その前に少なくとも１つの接続が形成されなければならない。端末には、それに必要な共通の使用媒体に対するデータレートが中央局から加入者の要求に応じて割当てられる。加入者の１つの端末に対しては、それがＡＴＭである場合、１以上のアクティブなバーチャルコネクションを同時に持たせることが可能である。このネットワークの実際の形態においては、端末のリソース要求（リソースリクエスト）も中央局ＺＥのリソース割当ても、接続毎に実行される、つまり端末はその接続毎に、伝送しなければならない量のデータパケットを伝送する。この場合のリソースとは、データの伝送を可能にする期間としての媒体上のデータレートの実現である。それに応じて中央局ＺＥは端末の接続毎にリソース割当てを送信する。しかしながたこのネットワークのさらなる実現形態では、次のような手段も可能である。すなわちこのリソース割当てとリソース要求を端末毎に実施する手段も可能である。つまり端末は、データパケットの送信自体を自分で決定することができる。接続毎のリソース割当てでは、送信されたデータパケットの当該接続に対する帰属度が中央局ＺＥの暗黙的割当てによって与えられる。この情報は、既に中央局ＺＥに存在し、そのため付加的に加入者から伝送される必要はない。
【０００３】
端末毎のリソース割当てのもとでは、中央局ＺＥは、受信したデータパケットが端末のどの接続に帰属しているかに関する事前情報は何も持たない。この変化例では、端末はこの情報を付加的に伝送する必要がある。同じことは通信クラス毎のリソース要求、ないしはリソース割当てに対しても当て嵌まる。これに関しては例えば以下の公知文献
1.“D. Petras ; Entwicklung und Leistungsbewertung einer ATM-Funkschnittstelle, Dissertation an der RWTH Aachen, Aachen 1998”:Kapitel 8.2, DynPara-PDU
2.“D. Petras, U. Vornefeld ; Joint Performance of DSA++MAC Protocol for wireless ATM under realistic traffic and channel models, wmATM ′98, Hngzhou, China 1998”:Kapitel 4
が参照され、特に公知文献１にはその実施例が、そして公知文献２にはその主要ポイントが記載されている。
【０００４】
前述したようなネットワークでは、伝送すべきデータに対して２つの異なるデータパケット量が設けられている。この場合ショートパケット（約６Byte; ショートデータコンテナ：ＫＤ）が制御情報、つまり有効データではなくてネットワークの制御と管理、例えば接続の構築、端末の対応付け、ハンドオーバの実施、受信ミスデータパケットの再要求などに用いられる情報の伝送に用いられる。ロングデータコンテナＬＤは約５４Byteの長さを持ち、通常のケースにおいては有効データの伝送に用いられる。純粋な有効データに対しては付加的にさらに若干の情報が含まれており、これらは有効データと非常に密な関係にある、例えばシーケンスナンバやエラー識別用のチェックサムなどである。
【０００５】
送信は、ダウンリンク（中央局から加入者へ）の方向においてもアップリンク（加入者から中央局へ）の方向においても、冒頭の複数の制御データパケットＫＤとそれに続く複数の有効データパケットＬＤからなっている（図２参照）。これらの制御データパケットＫＤと有効データパケットＬＤの正確な数は、中央局ＺＥによってリソース割当てにおいて確定される。
【０００６】
発明の利点
請求項１または１２ないし１３による手段によれば、加入者ないしその端末に対して、必要に応じて有効データパケット用のコンテナを制御情報の伝送のために利用できる手段が提供される。この手段は特に、これが例えばハンドオーバや端末対応付けの際に生じるような長い制御情報を伝送しなければならない場合に非常に役立つ。その他にも端末は、多数の短い制御データパケットに対して有効データパケット用のコンテナを使用することによって、リクエストの先送りなしでも至急の制御情報を送信できる手段が得られる。
【０００７】
このような制御情報を、本来は有効データのために設けられたデータコンテナにおいて送信する簡単な手法によれば、端末は、時事変化する状況に、非常にフレキシブルに迅速かつ効果的に順応できる手段が得られる。このことは特に、入れ替わりの激しい無線チャネル特性を持った無線伝送のもとでは有益性が高い。その他にも本発明の方法によれば、端末が大量の制御情報を効率良く伝送できる利点が得られる。
【０００８】
従属請求項には本発明による方法、中央局、加入者装置の別の有利な実施例が記載されている。
【０００９】
図面
以下ではさらなる別の図面に基づいて本発明の実施例の説明を行う。この場合、図３は、有効データパケット用のコンテナへの制御データパケットの充填の例を示した図であり、
図４は、アップリンクにおける加入者端末の伝送バーストを示した図であり、
図５は、有効データパケット用コンテナにおける制御データパケット以外のヘッド領域の充填例を示した図であり、
図６は、有効データパケット用コンテナにおける制御データパケットのブロックの通知を示した図であり、
図７は、本発明による通信システム用の中央局の構造を示した図であり、
図８は、本発明による通信システム用の加入者装置の構造を示した図である。
【００１０】
実施例の説明
冒頭に述べた“HIPERLAN Type 2”方式の通信ネットワークでは、異なる容量のデータコンテナの２種類の分類が存在する。約６バイトの長さを有するデータパケットは、通常は制御情報を含んでいる。これらのデータパケットは、以下では制御データパケットＫＤと称する。約５４バイトの長さを有するデータパケット、すなわち前述したデータパケットの数倍のデータ容量を有しているデータパケットは、有効データＮＦの他に短いヘッド領域ＫＦを含んでおり、その中には直接コンテナ内容に属するデータ、例えばシーケンスナンバやエラー補正ビットなどが含まれている。このデータパケットは以下では有効データパケットＬＤと称する（図３）。これらの有効データパケットＬＤと制御データパケットＫＤは、中央局ＺＥと加入者端末Ｔの間で交換され、その場合フレーム指向の伝送が用いられる（図１）。
【００１１】
特に加入者ないしはその端末Ｔが至急の制御情報を伝送したい場合には、本発明によって加入者Ｔに、有効データパケットＬＤ用のコンテナに多数の制御データパケットＫＤを充填できる手段が提供される。
【００１２】
このことは図３に示されている。この伝送フレーム内では有効データＬＤ用のコンテナに新たな制御データパケットＫＤが充填されている。それに対して中央局ＺＥは、いずれにせよ有効データを含んだ通常のコンテナではないことを知っていなければならない。この目的のために本発明によれば、中央局ＺＥと加入者Ｔの間で有効データパケットＬＤ用コンテナに制御データパケットＫＤが充填され、これらが一緒に伝送され、どの有効データパケット用コンテナが伝送フレーム内でそれぞれ制御データパケットＫＤを充填されているかを確定する旨の宣言が行われる。その場合この宣言の実施は、以下に述べるような種々異なる手法で行われる：
1.  端末自身による先行の制御データパケットＫＤ内での通知（但しこの手法は有効データパケットＬＤの評価前の制御データパケットＫＤの評価を前提とする）
2.  有効データパケットＬＤのヘッド領域ＫＦにおけるモードの通知
3.  端末Ｔ自身による中央局ＺＥに向けた、有効データパケットＬＤ用コンテナへの制御データパケットＫＤ充填の要求の伝送
4.  加入者Ｔによる制御データパケットＫＤの所定数の要求から、それに代わって有効データパケットＬＤ用のコンテナを、中央局ＺＥからの制御データパケットＫＤの充填のために割当てる、固定的な宣言の確定
有効データパケットＬＤ用コンテナに収納される各制御データパケットＫＤは、有利には１つのサブフレームに統合される。このサブフレームは、たとえ目下の伝送すべき制御データパケットＫＤがコンテナを完全に充たすのに不十分であっても、その外側のフォーマットは有効データパケットＬＤのフォーマットに適合化される。
【００１３】
前述した有効データパケットＬＤ用コンテナを制御データパケットＫＤで充填する宣言の４つの手段は以下の明細書で詳細に説明する。
【００１４】
第１の手段では、図４に従って、端末のデータ伝送（伝送バースト）がアップリンクにおいて有効データパケットＬＤの１ブロックに続く制御データパケットＫＤのブロックの伝送によってなされている。この制御データパケットＫＤの１つまたその一部は、次のことに利用される。すなわち制御データパケットＫＤのブロックで充填される、有効データパケット用の後続するコンテナの内容に関する情報を伝達するのに利用される。それに対しては、新たな情報要素ＩＥが定められ、これは所定の有効データパケットＬＤ用コンテナ内で制御データパケットＫＤで占められる領域の数を確定している。その他にも、後続する有効データパケットＬＤ用コンテナのどれが共通しているか（図４中の矢印参照）を定める情報も含ませなければならない。このことは１つの示唆であり得る。つまり例えば次のような情報であり得る。：ｎ番目の有効データパケットＬＤ用コンテナは、ｘ個の制御データパケットＫＤを含む。また次のような確定も実現可能である。すなわち制御データパケットＫＤで充填される全ての有効データパケットＬＤが有効データパケットブロック内部の所定の位置、例えば開始位置（図４には示されていない）で送信される必要性を確定することも可能である。このケースでは、制御情報−ＬＤの数に関する単なる情報で十分である。この情報要素は、いずれにせよ損蔵王刷る制御データパケットＫＤ内の端末から送信される。さらなる手段は、次のことからなる。すなわち有効データパケットＬＤの各々毎に情報要素ＩＥを先行する制御データパケットＫＤ内に与え、それによって対応付けを単なる順序によって行うようにする。
【００１５】
先に短く説明したように、有効データパケットＬＤ用コンテナ内の１つの領域、特にヘッド領域に情報の種類を示す情報を含ませるように挿入することも可能である。図５にはこれがフラグ領域として表わされており、それに対しては、例えば１ビットがあてがわれている。その後にはさらなる領域（ＫＤの数）が続けられており、これは制御情報として、後続する制御データパケットＫＤの数を含んでいる（ここでは最大で８）。ヘッド領域の残りは、４４ビットからなっており、これは他の目的に使用し得る。ヘッド領域には、それぞれ６バイトずつの８つの制御データパケットＫＤからなる１つのブロックが続いている。
【００１６】
先に提示した、制御データパケットで充填するための有効データパケット用コンテナの要求の伝送変化例は、次のことには用いられない。すなわち加入者Ｔに、プラン外の制御情報の伝送を可能にさせる。なぜならここでは通常のリソース要求が利用されるからである。このリソース要求は、次のような形式で機能する。すなわち端末が後続のＭＡＣ伝送フレームに対する要求を算出し、その後で中央局ＺＥがこの要求に基づく情報要素を送信する。この要求は、各仮想接続の際に、またはサービスクラス毎にまたは全て共通に行われる。このような変化例は、通常は次のような場合にのみ有利である。すなわち制御情報で占有される有効データパケット用コンテナの利用によって、必要なシグナリングオーバーヘッドが低減される場合である。このことは中央局によるリソース割当てのシグナリングの形式に応じて、個別の各コンテナ毎にシグナリングが必要とされる場合に可能である。
【００１７】
制御データパケットによる有効データパケット用コンテナ充填のための宣言のうちの一番最後の代替例は、要求信号の伝送を有する代替例に応じて実現可能であり、次のような相違点を有している。すなわちここでは自動化された方法が使用され、その際加入者Ｔはいずれにせよさらなる制御データパケットＫＤを要求する。しかしながらこれは中央局ＺＥによって、所定の数の要求された制御データパケットを上回った場合に、１またはそれ以上の長さのＰＤＵとして有効データパケット用のコンテナ内で割当てられる。
【００１８】
最初の２つの変化例に対しては、ここでは１つの具体的実施例を挙げる。この場合はその前提として、加入者Ｔに緊急の広範囲な制御情報を伝送する手段を提供することから出発している。これは特にハンドオーバのケースにおいて生じ得ることである。なぜならそのようなケースでは、例えばチャネル特性の急速な悪化などによって、場合によっては非常に迅速に大量の制御情報（例えば接続パラメータ）を伝送しなければならない可能性があるからである。必要な容量がまず事前に要求されなければならない場合には、接続自体が先に外れかねない。さらなる適用ケースは、一時的に悪化したチャネルの場合である。このようなケースではエラーを含んで受信されたパケットが中央局から新たに要求される必要がある（オートマチックリピートリクエスト）。新たな要求の数が極端に高いならば、このようなケースでは制御情報への負担と制御データパケットＫＤに対する必要性が高まる。
【００１９】
多数の制御情報の緊急の伝送が必要である場合には、もともと有効データの伝送のために設けられた有効データパケットＬＤ用コンテナを制御データパケットＫＤ用コンテナに変換する。
【００２０】
先行する制御データパケットＫＤ内での、変換された有効データパケットＬＤ用コンテナの通知に対する例として、ここでは該当する加入者Ｔに４つの制御データパケットＫＤと３つの有効データパケットＬＤが得られるものと仮定する。その他にハンドオーバが仮定され、これはこのフェーズにおいて６つの制御データパケットＫＤが必要となる。さらに有効データパケットＬＤ用の各コンテナは、所属の制御データパケットＫＤによって占有され、そこにおいて情報要素は、例えば所属の仮想接続の発生に関する内容を伴うものとする。
【００２１】
加入者Ｔは、ここにおいて仮想接続を探索し（これは少なく緊急のデータを柚須いている）、そのために設けられている有効データパケットＬＤ用コンテナを、図６に示されているように６つの制御データパケットＫＤ内のハンドオーバ情報と共に所要の情報要素の伝送のために利用する。先行する制御データパケットＫＤは、識別子（ＩＥタイプ）を備えた情報要素を含んでおり、この識別子は、有効データパケットＬＤ用コンテナの変換のための情報であることを表わしている。第２の領域（長さ情報）は、有効データパケットコンテナＬＤ内を占有している制御データパケットＫＤの数を含んでいる。このコンテナはさらに必要な制御データパケットＫＤで充たされる。残留する残りは、空きのままかまたは他の制御情報で充たされる。
【００２２】
第２の変化例（有効データパケットのヘッド領域ＫＦ内のモードの通知、これは前述したような条件のもとで有用である）は、有利には次のような条件、すなわち有効データパケットＬＤ用の各コンテナに対応付けされた制御データパケットＫＤが得られる条件がみたされない場合に用いられる。この場合は最大で８つの制御データパケットＫＤが有効データパケットＬＤ用コンテナ内にパッケージされる。残された６バイトは、必要な通知を執り行なうのに用いられる。さらに付加的には、有効データパケットＬＤが収納されているコンテナと、制御データパケットＫＤのブロックが収納されているコンテナとの間で、相違特徴を持たせることが必要である。それに対しては６４バイトの長さの全てのコンテナのヘッド領域における１つの領域が用いられ、この領域は、有効データ（例えばフラグ＝０）と制御データ（例えばフラグ＝１）の間の区別を行っている（図５参照）。
【００２３】
図７には、本発明による通信システム、すなわち中央局ＺＥと多数の加入者Ｔとの間で異なる容量のデータパケットが、フレーム指向で伝送される通信システム用の中央局ＺＥの構造が概略的に示されている。この場合中央局ＺＥは、通信リソースをデータパケットの形態で加入者Ｔに割当て、加入者Ｔは通信リソースを中央局ＺＥに要求する。フレームジェネレータＲＺＧは、伝送のために設けられた伝送フレームの生成に用いられる。マルチプレクサＭＺＸを介して、制御データパケットＫＤ並びに有効データパケットＬＤは、フレームジェネレータＲＺＧによって生成された伝送フレーム内に挿入され、伝送装置（無線ネットワークのケースでは送信器ＴＺＸ）に転送される。選択ユニットＡＺＳを介して、中央局ＺＥと加入者Ｔの間の宣言に基づいて、伝送フレーム内で有効データパケットＬＤ用のコンテナが多数の制御データパケットＫＤで充填されるか否かが決定され、あるいは通常の有効データパケットＬＤが伝送されるのかが決定される。加入者Ｔから伝送されたデータパケットは、受信装置ＲＺＸによって受信され、デマルチプレクサＤＺＸによって制御データパケットＫＤと有効データパケットＬＤに分解される。評価装置ＡＺＥを介して制御データパケットＫＤと有効データパケットＬＤの新たな編成が後続する伝送フレームに対して行われ、あるいはネットワークへの転送が行われる（出力側ＡＺＵ）。評価装置ＡＺＥは、加入者Ｔが制御データパケットへの高い要求を有しているか否かに応じて（ハンドオーバ）、あるいは有効データパケットＬＤ用のコンテナが制御データパケットＫＤに置換される必要性の有無に応じて選択ユニットＡＺＳも制御する。
【００２４】
図８には、前記中央局ＺＥに相応する構成群、すなわちマルチプレクサＭＴＸ，デマルチプレクサＤＴＸ，評価装置ＡＴＥ，選択ユニットＡＴＳ，送信ないし受信装置ＲＴＸ，ＴＴＸ、およびフレームジェネレータＲＴＧ（これはここではいずれにせよ中央局ＺＥによって設定されるフレームクロックを介して制御される（フレームジェネレータＲＴＧへの評価ユニットＡＴＥの接続）を有する加入者Ｔ用の加入者装置の構造が示されている。中央局ＺＥとの違いは図８による加入者装置は、直接のネットワークアクセスを有していないことである。
【図面の簡単な説明】
【図１】  公知の通信ネットワークを示した図である。
【図２】  複数の制御データパケットＫＤとそれに続く複数の有効データパケットＬＤを示した図である。
【図３】  図３は、有効データパケット用のコンテナへの制御データパケットの充填の例を示した図である。
【図４】  アップリンクにおける加入者端末の伝送バーストを示した図である。
【図５】  有効データパケット用コンテナにおける制御データパケット以外のヘッド領域の充填例を示した図である。
【図６】  有効データパケット用コンテナにおける制御データパケットのブロックの通知を示した図である。
【図７】  本発明による通信システム用の中央局の構造を示した図である。
【図８】  本発明による通信システム用の加入者装置の構造を示した図である。
【図１】
0004395636.tif 000002
【図２】
0004395636.tif 000003
【図３】
0004395636.tif 000004
【図４】
0004395636.tif 000005
【図５】
0004395636.tif 000006
【図６】
0004395636.tif 000007
【図７】
0004395636.tif 000008
【図８】
0004395636.tif 000009